(57)【特許請求の範囲】
【請求項１】
塗装ラインに設けられた一対の上下レールと、該上レール上を被塗装物を載置して走行する搬送台車と、該搬送台車を走行させる側面駆動用のコンベヤチェーンとを備えた被塗装物搬送用コンベヤ装置において、
前記側面駆動用のコンベヤチェーンは、前記上下レールの側方に設けられて塗装ラインを周回走行すると共に、搬送台車に係合して該搬送台車を押送する係合手段を備えており、
前記搬送台車は、略々断面円形の上レール上を該搬送台車の荷重を受けて走行する主車輪と、下レール両側面に当接する一対のガイド部材とを備えていることを特徴とする被塗装物搬送用コンベヤ装置。
【請求項２】
前記塗装ラインに設けられた一対の上下レールは、塗装ラインから乾燥工程入り口に亘って延設され、該延設された上下レールの側方には、搬送台車に係合する係合手段を備えた乗り継ぎ用コンベヤチェーンが設けられ、該係合手段を搬送台車に係合させて搬送台車を押送して乾燥工程のオーブンコンベヤに乗り継ぐようにしたことを特徴とする請求項１記載の被塗装物搬送用コンベヤ装置。
【発明の詳細な説明】
【０００１】
【発明の属する技術分野】
本発明は、自動車の部品、例えばバンパーなどの長尺部品を塗装ラインで塗装する際に、被塗装物である長尺部品が載荷された搬送台車をレールの側方に設けられたコンベヤチェーンにより走行させるようにした被塗装物搬送用コンベヤ装置に関する。
【０００２】
【従来の技術】
自動車部品などの塗装は、塗装ブースが備えられた塗装ラインで塗装され、次いで乾燥工程で乾燥が行われる。従来、この塗装ラインにおいて被塗装物である長尺部品を搬送する場合、長尺部品を載置する載置台が備えられた搬送台車をレール上に沿って、該レール下方に設けられた牽引部材、チェーン等により走行させている。また、このレールは工形鋼、溝形鋼などからなり、搬送台車の車輪がその水平部に接輪して搬送台車の荷重を受けて走行するものである。
【０００３】
【発明が解決しようとする課題】
しかし、従来の被塗装物搬送用コンベヤ装置は、レールの真下に、搬送台車を走行させる牽引部材、チェーン等が設けられているため、被塗装物搬送用コンベヤ装置の丈が高くなるという問題があり、それに伴って塗装ブースの丈を高くしなければならないという問題があった。また、レールが工形鋼、溝形鋼などからなるため、車輪が接輪する水平部分に塗料が付着堆積し、搬送台車の走行を妨げるという問題があった。
【０００４】
そこで、本発明は、前述したような従来技術の問題点を解消し、被塗装物搬送用コンベヤ装置の丈が高くならないようにしてコンパクトにし、それに伴って塗装ブースの丈を低くできるようにすること、塗装ブース内において、搬送台車が走行するレールに塗料が堆積しないようにすることを目的とする。
【０００５】
【課題を解決するための手段】
前記目的を達成するために、請求項１に係る本発明は、塗装ラインに設けられた一対の上下レールと、該上レール上を被塗装物を載置して走行する搬送台車と、該搬送台車を走行させる側面駆動用のコンベヤチェーンとを備えた被塗装物搬送用コンベヤ装置において、前記側面駆動用のコンベヤチェーンは、前記上下レールの側方に設けられて塗装ラインを周回走行すると共に、搬送台車に係合して該搬送台車を押送する係合手段を備えており、前記搬送台車は、略々断面円形の上レール上を該搬送台車の荷重を受けて走行する主車輪と、下レール両側面に当接する一対のガイド部材とを備えている被塗装物搬送用コンベヤ装置、という構成としたものである。
請求項２に係る本発明は、前記請求項１の被塗装物搬送用コンベヤ装置において、前記塗装ラインに設けられた一対の上下レールは、塗装ラインから乾燥工程入り口に亘って延設され、該延設された上下レールの側方には、搬送台車に係合する係合手段を備えた乗り継ぎ用コンベヤチェーンが設けられ、該係合手段を搬送台車に係合させて搬送台車を押送して乾燥工程のオーブンコンベヤに乗り継ぐようにした、という構成としたものである。
【０００６】
【作用】
上記の構成からなる被塗装物搬送用コンベヤ装置は、塗装ラインに設けられた一対の上下レールの側方に設けられた側面駆動用のコンベヤチェーンが周回走行することにより、このコンベヤチェーンに設けられた係合手段が側方から係合して搬送台車が押送される。この場合、搬送台車の荷重は、上レールに接輪する主車輪で受けられる。下レールは、一対のガイド部材が両側面に当接することにより、搬送台車が傾かないようなり、ガイドレールとして機能する。また、搬送台車の主車輪が走行する上レールが断面略々円形であるため、塗装ブース内で上レールに塗料が堆積しなくなり、搬送台車の走行が妨げられなくなる。
また、塗装ラインから乾燥工程入り口に亘って延設された上下レールの他方の側方に設けられた乗り継ぎ用コンベヤチェーンにより、搬送台車は、乗り継ぎ用コンベヤチェーンに設けられ係合手段が下方から係合して押送され、乾燥工程のオーブンコンベヤに移載される。
【０００７】
【発明の実施の形態】
本発明の実施の形態の１つである実施例を図１〜図６に基づいて説明する。図１には、自動車のバンパーなど長尺物品の塗装システムにおける塗装ラインＰ、乾燥工程Ｄを示す。
【０００８】
長尺の被塗装物Ｗは、大略、載荷位置Ｐ１で被塗装物Ｗの長手方向が搬送台車１３の進行方向と平行になるように搬送台車１３に載荷され、この被塗装物Ｗが載荷された搬送台車１３は、除塵室Ｐ２、塗装ブースＰ３を経て、塗装ラインＰの終端における側面駆動用のコンベヤチェーン１４の反転部Ｐ４近傍まで、このコンベヤチェーン１４により移送される。
【０００９】
搬送台車１３は、反転部Ｐ４からは、別に設けられた乗り継ぎ用コンベヤチェーン１５により、乾燥工程Ｄの乾燥工程入り口Ｄ１まで移送されて、そのままの向きでオーブンコンベヤ１６に移載される。その結果、オーブンコンベヤ１６に移載された搬送台車１３は、被塗装物Ｗの長手方向がオーブンコンベヤ１６の進行方向と直交する向きとなって、乾燥炉Ｄ２内をストレージ移送される。
【００１０】
以下、被塗装物搬送用コンベヤ装置１１を具体的に説明する。被塗装物搬送用コンベヤ装置１１は、図４に示すように、一対の上下レール１２ａ、１２ｂと、被塗装物Ｗが載置されて走行する搬送台車１３と、搬送台車１３の走行駆動源となる側面駆動用のコンベヤチェーン１４とで構成される。
【００１１】
図２、図３には、塗装ラインＰにおける側面駆動用のコンベヤチェーン１４の反転部Ｐ４を示し、図４には、反転部Ｐ４の要部を拡大して示す。塗装ラインＰに設けられた一対の上下レール１２ａ，１２ｂは、丸棒、パイプ等の断面略々円形部材からなり、図３、図４に示すように、ヨーク１２ｃで支持される。このヨーク１２ｃは、機枠１１ａに間隔を開けて設けられている。
【００１２】
搬送台車１３は、被塗装物Ｗを上方に載置して上レール１２ａの上方を走行するものであり、搬送台車１３の荷重を受けて走行する主車輪１３ａ、１３ａが前後に配置される。また、下レール１２ｂの両側面に接触するようにガイド部材であるガイドローラ１３ｂが前後に配置される。この搬送台車１３は、支持アーム１３ｃ、垂下部１３ｄ’を有するフレーム１３ｄと、架台１３ｅと、被塗装物Ｗが載置される載置台１３ｆとを備えている。この架台１３ｅはインデキサーを備えた架台としてもよい。
【００１３】
一対の上下レール１２ａ、１２ｂの片側横側方には、塗装ラインＰを略々水平方向に該上下レールの内側を周回走行する側面駆動用のコンベヤチェーン１４が設けられる。このコンベヤチェーン１４には、図５に示されるように、搬送台車１３の支持アーム１３ｃに横側方から係合する係合手段である係合プレート１４ａが取り付けられる。この係合プレート１４ａにより、搬送台車１３は上下レール１２ａ、１２ｂに沿って押送される。
【００１４】
側面駆動用のコンベヤチェーン１４は、反転部Ｐ４において、駆動鎖車１４ｂ、テークアップ鎖車１４ｃ、従動鎖車１４ｄ等に捲回される。この駆動鎖車１４ｂは、駆動ギヤモータＭを駆動源として、スプロケットＳ、チェーンＣ等を介して回動される。
【００１５】
上レール１２ａ、下レール１２ｂは、図１に示すように、反転部Ｐ４の近傍から乾燥工程入り口Ｄ１に亘って延設され、この延設された延長レール１２ａ’、１２ｂ’の他方の横側方には、すなわち、前記側面駆動用のコンベヤチェーン１４が設置された側とは反対側の横側方には、側面駆動用のコンベヤチェーン１４とは別の搬送台車乗り継ぎ用コンベヤチェーン１５が設けられ、乗り継ぎ用コンベヤチェーン１５は、図４に示すように、上下対になって水平方向に循環走行する。
【００１６】
この乗り継ぎ用コンベヤチェーン１５には、係合部材である係合アーム１５ａが取り付けられる。この係合アーム１５ａを搬送台車１３に備えられたフレーム１３ｄの垂下部１３ｄ’に下方から係合させて搬送台車１３を押送して乾燥工程Ｄのオーブンコンベヤ１６に乗り継ぎ移送する。
【００１７】
オーブンコンベヤ１６は、図６に示すように、乾燥炉Ｄ２内で、加熱部材（図示略）の上方に設けられた一対の無端状チェーン１６ａと、該一対のチェーン１６ａ、１６ａ間に設けられた搬送台車１３を支持する支持機構１７とからなり、間欠的に駆動される。なお、図６中の１６ｂ、１６ｃはチェーン１６ａのガイドレール、１６ｄは支柱、図１中の１６ｅはスプロケット、１６ｆは搬送台車１３を隣接するオーブンコンベヤ１６に移送するためのレールである。
【００１８】
搬送台車１３を支持する支持機構１７は、一対の上下パイプ１７ａ、１７ｂと、一対のチェーン１６ａ間に亘って設けられたスラット１７ｃと、パイプ１７ａ、１７ｂを支持するように、スラット１７ｃの両端側に立設された一対のヨーク１７ｄとで構成される。
【００１９】
支持機構１７に設けられた上下一対のパイプ１７ａ、１７ｂは、乾燥工程入り口Ｄ１において、オーブンコンベヤ１６が停止したとき、塗装ラインＰから延設され延長レール１２ａ’、１２ｂ’とそれぞれ連続するものである。上レール１２ａ、１２ａ’、上パイプ１７ａは、いずれも同一断面形状であり、また、下レール１２ｂ、１２ｂ’、下パイプ１７ｂも、いずれも同一断面形状である。
【００２０】
上記のように構成された被塗装物搬送用コンベヤ装置１１は、周回走行する側面駆動用のコンベヤチェーン１４に取り付けられた係合プレート１４ａが搬送台車１３の支持アーム１３ｃに側方から係合して、搬送台車１３が上下レール１２ａ、１２ｂに沿って押送される。
【００２１】
係合プレート１４ａで押送されて走行する搬送台車１３は、反転部Ｐ４において、側面駆動用のコンベヤチェーン１４が反転走行すると、係合プレート１４ａとの係合が外れ、コンベヤチェーン１４による押送が終了する。
【００２２】
コンベヤチェーン１４による押送が終了した搬送台車１３は、乗り継ぎ用コンベヤチェーン１５に取り付けられた係合アーム１５ａが、搬送台車１３に備えられたフレーム１３ｄの垂下部１３ｄ’に下方から係合して押送され、乾燥工程Ｄのオーブンコンベヤ１６に乗り継ぎ移載される。
【００２３】
このオーブンコンベヤ１６への搬送台車１３の移載は、間欠走行するオーブンコンベヤ１６が停止して、延長レール１２ａ’、１２ｂ’と支持機構１７の上下パイプ１７ａ、１７ｂとが連続したとき、搬送台車１３が乗り継ぎ用コンベヤチェーン１５により押送されて、オーブンコンベヤ１６に設けられた支持機構１７のパイプ１７ａ、１７ｂ側に移送されることにより行われる。
【００２４】
支持機構１７上に移送された搬送台車１３は、被塗装物Ｗの長手方向がオーブンコンベヤ１６の走行方向と直交する向きとなってストレージ移送され、下部に設けられた放熱管等の加熱手段（図示略）により加熱乾燥される。
【００２５】
以上のように、オーブンコンベヤ１６は、乾燥炉Ｄ２の加熱部材の上方に設けられた一対の無端状チェーン１６ａと、この一対のチェーン間に設けられた搬送台車の支持機構１７とからなり、搬送台車１３の支持機構１７は、前記一対のチェーン間に亘って設けられたスラット１７ｃと、このフレームの両端側に垂設された一対のヨーク１７ｄと、このヨークに支持された一対の上下パイプ１７ａ、１７ｂとで構成され、この上下パイプ１７ａ、１７ｂは、乾燥工程入り口において、塗装ラインから延長された一対の上下レールに連続するので、搬送台車１３を塗装ラインＰから乾燥工程Ｄのオーブンコンベヤ１６に容易に移載することができる。また、被塗装物Ｗと加熱手段との間には、スラット１７ｃ、パイプ１７ａ、１７ｂ等隙間ができる部材以外に輻射熱を遮るものががないので、効率よく乾燥を行うことができる。
【００２６】
以上、被塗装物搬送用コンベヤ装置の実施例について説明したが、上レール１２ａは、断面略々円形部材であることが好ましい。また、下レール１２ｂは、断面略々円形の部材に限らず、帯状の鋼板などとしてもよく、ガイドレールとして機能するものであればよい。また、側面駆動用のコンベヤチェーンに設けられる係合プレート、及び乗り継ぎ用コンベヤチェーンに設けられる係合アームは、その形状は如何なるものでもよく、係合部材、係合手段として機能するものであればよい。
【００２７】
【発明の効果】
以上説明したように、本発明の被塗装物搬送用コンベヤ装置は、側面駆動用のコンベヤチェーンが、一対の上下レールの側方に設けられると共に、搬送台車に側方から係合して該搬送台車を押送させる係合手段を備えているので、被塗装物が載置された搬送台車を横側方から支援して走行させることができ、それに伴って、被塗装物搬送用コンベヤ装置の高さを低くすることができ、被塗装物搬送用コンベヤ装置をコンパクトにすることができる。
【００２８】
搬送台車の主車輪が走行する上レールが断面略々円形であるので、塗装ブース内において上レールに塗料が堆積しなくなり、搬送台車の走行が妨げられなくなる。また、搬送台車が走行するレールは、従来のように形鋼でないので、レールの製造、設置を容易に行うことができる。
【００２９】
また、塗装ラインに設けられた一対の上下レールは、塗装ラインから乾燥工程入り口に亘って延設され、該延設された上下レールの側方には、搬送台車に係合する係合手段を備えた乗り継ぎ用コンベヤチェーンが設けられ、該係合手段を搬送台車に係合させて搬送台車を押送して乾燥工程のオーブンコンベヤに乗り継ぐようにしたので、塗装ラインから乾燥工程のオーブンコンベヤへの搬送台車の移載を容易に行うことができる。
【図面の簡単な説明】
【図１】  本発明実施例の塗装システムにおける塗装ラインＰ、乾燥工程Ｄを示す説明図である。
【図２】  側面駆動用のコンベヤチェーンの反転部近傍の要部平面図である。
【図３】  同上のコンベヤチェーンの反転部近傍の内部構造を示す正面図である。
【図４】  同上のコンベヤチェーンの反転部近傍の部分拡大図である。
【図５】  係合プレートの取り付け状態を示す平面図である。
【図６】  オーブンコンベヤの内部構造を示す正面図である。
【符号の説明】
１１    被塗装物搬送用コンベヤ装置
１２ａ、１２ｂ  上下レール
１２ｃ  ヨーク
１２ａ’、１２ｂ’  延長レール
１３    搬送台車
１３ａ  主車輪
１３ｂ  ガイドローラ
１３ｃ  支持アーム
１３ｄ  フレーム
１３ｄ’垂下部
１３ｅ  架台
１３ｆ  載置台
１４    側面駆動用のコンベヤチェーン
１４ａ  係合プレート
１４ｂ  駆動鎖車
１４ｃ  テークアップ鎖車
１４ｄ  従動鎖車
１５    乗り継ぎ用コンベヤチェーン
１５ａ  係合アーム
１６    オーブンコンベヤ
１６ａ  無端状チェーン
１６ｂ、１６ｃ  レール
１６ｄ  支柱
１７    支持機構
１７ａ、１７ｂ  上下パイプ
１７ｃ  スラット
１７ｄ  ヨーク
Ｐ３    塗装ブース
Ｐ４    反転部
Ｄ      乾燥工程
Ｄ１    乾燥工程入り口
Ｄ２    乾燥炉
【図１】
0003849856.tif 000002
【図２】
0003849856.tif 000003
【図３】
0003849856.tif 000004
【図４】
0003849856.tif 000005
【図５】
0003849856.tif 000006
【図６】
0003849856.tif 000007